(57)【要約】【課題】緊急警報放送を確実に受信することを可能にするデジタル放送再送信装置、デジタル放送受信機およびデジタル放送再送信システムを提供する。【解決手段】放送状態検出部２１４は、放送状態情報を検出し、緊急警報放送用起動制御フラグおよび緊急情報記述子を取得する。緊急放送検出部２２２は、緊急警報放送開始／終了フラグおよび緊急情報記述子をデジタルＣＡＴＶ放送制御装置３１に与える。デジタルＣＡＴＶ放送制御装置３１は、緊急警報放送開始／終了フラグおよび緊急情報記述子を多重化装置３２に与える。多重化装置３２は、緊急警報放送開始／終了フラグおよび緊急情報記述子を特定のチャンネルのＴＳに多重化する。ＯＦＤＭ変調器３３およびＱＡＭ変調器３４は、ＴＳを変調し、変調されたデジタル放送波を自主デジタル放送のチャンネルによりデジタルＣＡＴＶ受信機４に送信する。【選択図】図１
2007251298.tif 000002
【特許請求の範囲】
【請求項１】
デジタル放送の複数のチャンネルの放送信号を再送信するデジタル放送再送信装置であって、
複数のチャンネルの放送信号を受信する受信部と、
前記受信部により受信された複数のチャンネルの放送信号を送信する送信部と、
前記受信部により受信された複数のチャンネルの放送信号から緊急警報放送に関する緊急警報放送情報を検出する検出部と、
前記送信部により送信される複数のチャンネルの放送信号のうち予め特定されたチャンネルの放送信号に前記検出部により検出された緊急警報放送情報を多重化する多重化部とを備えたことを特徴とするデジタル放送再送信装置。
【請求項２】
前記デジタル放送の複数のチャンネルは、公共デジタル放送のチャンネルおよびケーブルテレビ局の自主デジタル放送のチャンネルを含み、
前記送信部はケーブルテレビ網に前記複数のチャンネルの放送信号を再送信し、
前記多重化部は、前記予め特定されたチャンネルの放送信号として前記自主デジタル放送のチャンネルの放送信号に前記検出部により検出された緊急警報放送情報を多重化することを特徴とする請求項１に記載のデジタル放送再送信装置。
【請求項３】
前記複数のチャンネルの放送信号は、伝送制御のための制御情報および番組の構成を示す第１の番組構成情報を含み、
前記緊急警報放送情報は、前記制御情報に含まれかつ緊急警報放送の存在を示す第１の情報と、前記第１の番組構成情報に含まれかつ緊急警報放送の内容を示す第２の情報とを含み、
前記検出部は、前記受信部により受信された複数のチャンネルの放送信号中の制御情報および第１の番組構成情報から第１の情報および第２の情報をそれぞれ検出し、
前記多重化部は、前記検出部により検出された第１の情報および第２の情報に基づいて前記予め特定されたチャンネルの放送信号の制御情報および第１の番組構成情報を変更することにより前記放送信号に第１の情報および第２の情報を多重化することを特徴とする請求項１または２記載のデジタル放送再送信装置。
【請求項４】
前記第２の情報は緊急警報の対象地域を示す地域情報を含み、
前記検出部により検出された第２の情報に含まれる地域情報が予め登録された地域を示す場合に前記検出部により検出された第１の情報および第２の情報を前記多重化部に与える情報付与部をさらに備え、
前記多重化部は、前記情報付与部から与えられた第１の情報および第２の情報を予め特定されたチャンネルの放送信号に多重化することを特徴とする請求項３記載のデジタル放送再送信装置。
【請求項５】
前記第２の情報は緊急警報の事象を示す事象情報をさらに含み、
前記情報付与部は、前記検出部により検出された第２の情報に含まれる事象情報が予め登録された事象を示す場合に前記検出部により検出された第１の情報および第２の情報を前記多重化部に与えることを特徴とする請求項４記載のデジタル放送再送信装置。
【請求項６】
前記受信部は、複数のチャンネルの放送信号の選局および復調を行うチューナを含み、
前記検出部は、前記チューナにおいて選局されたチャンネルの放送信号から制御信号を抽出し、抽出された制御信号から第１の情報を検出し、前記チューナにおいて復調された放送信号から第１の番組構成情報を抽出し、抽出された第１の番組構成情報から第２の情報を検出することを特徴とする請求項３〜５のいずれかに記載のデジタル放送再送信装置。
【請求項７】
前記多重化部は、前記検出部により検出された第１の情報を緊急警報放送の開始および終了を示す情報として前記放送信号に多重化することを特徴とする請求項３〜６のいずれかに記載のデジタル放送再送信装置。
【請求項８】
前記受信部により受信された複数のチャンネルの放送信号に前記予め特定されたチャンネルに関するチャンネル情報を付加する情報付加部をさらに備えたことを特徴とする請求項１〜７のいずれかに記載のデジタル放送再送信装置。
【請求項９】
前記複数のチャンネルの放送信号は、任意に定義可能な記述子を含む第２の番組構成情報を含み、
前記情報付加部は、前記受信部により受信された前記複数のチャンネルの放送信号に含まれる第２の番組構成情報の前記記述子によりチャンネル情報を記述することを特徴とする請求項８記載のデジタル放送再送信装置。
【請求項１０】
デジタル放送再送信装置から再送信されるデジタル放送の複数のチャンネルの放送信号を受信するデジタル放送受信機であって、
前記複数のチャンネルの選局を行う選局部と、
前記複数のチャンネルのうち予め特定されたチャンネルに関するチャンネル情報を記憶する記憶部と、
前記記憶部に記憶されたチャンネル情報に基づいて前記特定のチャンネルを選局するように前記選局部を制御する制御部と、
前記選局部により選局されたチャンネルの放送信号から緊急警報放送に関する緊急警報放送情報を取得する取得部と、
前記取得部により取得された緊急警報放送情報に応答して緊急警報放送を出力する出力部とを備えたことを特徴とするデジタル放送受信機。
【請求項１１】
前記予め特定されたチャンネルの放送信号は、伝送制御のための制御情報および番組の構成を示す第１の番組構成情報を含み、
前記緊急警報放送情報は、前記制御情報に含まれかつ緊急警報放送の存在を示す第１の情報と、前記第１の番組構成情報に含まれかつ緊急警報放送の内容を示す第２の情報とを含み、
前記取得部は、前記選局部により選局されたチャンネルの放送信号に含まれる制御情報および第１の番組構成情報から第１の情報および第２の情報をそれぞれ取得し、
前記出力部は、前記取得部により取得された第１の情報および第２の情報を出力することを特徴とする請求項１０記載のデジタル放送受信機。
【請求項１２】
前記選局部により選局されたチャンネルの放送信号から映像信号および音声信号を再生する再生部をさらに備え、
前記制御部は、前記再生部が使用されていないときに前記記憶部に記憶されたチャンネル情報に基づいて前記特定のチャンネルを選局するように前記選局部を制御することを特徴とする請求項１０または１１記載のデジタル放送受信機。
【請求項１３】
前記選局部により選局されたチャンネルの放送信号から映像信号および音声信号を再生する再生部をさらに備え、
前記選局部は、前記複数のチャンネルの選局を行う第１および第２の選局器を含み、
前記制御部は、前記記憶部に記憶されたチャンネル情報に基づいて前記特定のチャンネルを選局するように前記第２の選局器を制御し、
前記取得部は、前記第２の選局器により選局されたチャンネルの放送信号から緊急警報放送に関する緊急警報放送情報を取得し、
前記再生部は、前記第１の選局器により選局された放送信号のチャンネルから映像信号および音声信号を再生することを特徴とする請求項１０または１１記載のデジタル放送受信機。
【請求項１４】
前記選局部により選局されたチャンネルの放送信号から映像信号および音声信号を再生する再生部をさらに備え、
前記選局部は、前記複数のチャンネルの選局を行う複数の選局器を含み、
前記再生部は、前記複数の選局器により選局されたチャンネルの放送信号から映像信号および音声信号を再生する複数の再生器を含み、
前記制御部は、前記記憶部に記憶されたチャンネル情報に基づいて前記特定のチャンネルを選局するように前記複数の再生器のうち使用されていない再生器に対応する選局器を制御することを特徴とする請求項１０または１１記載のデジタル放送受信機。
【請求項１５】
デジタル放送の複数のチャンネルの放送信号を再送信するデジタル放送再送信装置と、
前記デジタル放送再送信装置から再送信されるデジタル放送の複数のチャンネルの放送信号を受信するデジタル放送受信機とを備え、
前記デジタル放送再送信装置は、
複数のチャンネルの放送信号を受信する受信部と、
前記受信部により受信された複数のチャンネルの放送信号を送信する送信部と、
前記受信部により受信された複数のチャンネルの放送信号から緊急警報放送に関する緊急警報放送情報を検出する検出部と、
前記送信部により送信される複数のチャンネルの放送信号のうち予め特定されたチャンネルの放送信号に前記検出部により検出された緊急警報放送情報を多重化する多重化部とを含み、
前記デジタル放送受信機は、
前記複数のチャンネルの選局を行う選局部と、
前記複数のチャンネルのうち予め特定されたチャンネルに関するチャンネル情報を記憶する記憶部と、
前記記憶部に記憶されたチャンネル情報に基づいて前記特定のチャンネルを選局するように前記選局部を制御する制御部と、
前記選局部により選局されたチャンネルの放送信号から緊急警報放送に関する緊急警報放送情報を取得する取得部と、
前記取得部により取得された緊急警報放送情報に応答して緊急警報放送を出力する出力部とを含むことを特徴とするデジタル放送再送信システム。
【発明の詳細な説明】
【技術分野】
【０００１】
本発明は、デジタル放送の複数のチャンネルの放送信号を再送信するデジタル放送再送信装置、デジタル放送再送信装置から再送信される放送信号を受信するデジタル放送受信機およびそれらを備えたデジタル放送再送信システムに関する。
【背景技術】
【０００２】
地震または津波等の甚大な被害が予想される災害に関する情報を、多数の人に迅速に伝えるには、テレビまたはラジオの放送波を用いることが最適である。
【０００３】
従来より、アナログ放送波を利用した緊急警報放送が既に特定の放送局で運用されており、専用の端末装置を用いれば、緊急警報放送を常時受信し、ユーザに告知することが可能である。
【０００４】
例えば、特許文献１に記載の緊急放送テレビ受信機は、待機時には、待機用電源からチユ−ナ装置、音声検波装置および符号検出装置に電力を供給する構成を有する。これにより、緊急警報放送が開始されると、符号検出装置が緊急警報放送であることを解読し、その旨の信号を出力する。その出力信号で電源・偏向回路を起動し、通常のテレビ受信状態とする。したがって、待機中であっても緊急警報放送の有無を確認することができる。
【特許文献１】特開昭５８−１３４５８８号公報
【発明の開示】
【発明が解決しようとする課題】
【０００５】
近年、デジタル放送においても、同様に緊急警報放送のシステムが運用されている。ユーザは、緊急警報放送を送出しているチャンネルをテレビ受信機で選局することにより緊急警報放送を受信することができる。
【０００６】
しかしながら、緊急警報放送がどの放送局のどのチャンネルから送出されるかは定められていないため、緊急警報放送は種々のチャンネルから送出される可能性がある。したがって、緊急警報放送を送出しているチャンネルをユーザが常時把握することは困難である。ユーザがどのチャンネルで緊急警報放送が行われているかを把握していないと、たとえ放送局が緊急警報放送を送出中であっても、ユーザのテレビ受信機で緊急警報放送を受信できない可能性が高い。
【０００７】
このような事情から、デジタル放送で運用されている緊急警報放送は、災害情報等の緊急度が高い情報をユーザに伝える手段として、積極的には利用されていない。
【０００８】
本発明の目的は、ユーザが緊急警報放送を確実に受信することを可能にするデジタル放送再送信装置、デジタル放送受信機およびデジタル放送再送信システムを提供することである。
【課題を解決するための手段】
【０００９】
（１）第１の発明に係るデジタル放送再送信装置は、デジタル放送の複数のチャンネルの放送信号を再送信するデジタル放送再送信装置であって、複数のチャンネルの放送信号を受信する受信部と、受信部により受信された複数のチャンネルの放送信号を送信する送信部と、受信部により受信された複数のチャンネルの放送信号から緊急警報放送に関する緊急警報放送情報を検出する検出部と、送信部により送信される複数のチャンネルの放送信号のうち予め特定されたチャンネルの放送信号に検出部により検出された緊急警報放送情報を多重化する多重化部とを備えたものである。
【００１０】
そのデジタル放送再送信装置においては、受信部により複数のチャンネルの放送信号が受信され、受信された複数のチャンネルの放送信号が送信部により送信される。また、受信された複数のチャンネルの放送信号から検出部により緊急警報放送に関する緊急警報放送情報が検出され、送信される複数のチャンネルの放送信号のうち予め特定されたチャンネルの放送信号に緊急警報放送情報が多重化部により多重化される。
【００１１】
それにより、緊急警報放送がいずれのチャンネルにより送出される場合でも、その緊急警報放送がデジタル放送再送信装置により予め特定されたチャンネルで再送出される。したがって、デジタル放送受信機では、予め特定されたチャンネルを選局することにより緊急警報放送を確実に受信することができる。
【００１２】
（２）デジタル放送の複数のチャンネルは、公共デジタル放送のチャンネルおよびケーブルテレビ局の自主デジタル放送のチャンネルを含み、送信部はケーブルテレビ網に複数のチャンネルの放送信号を再送信し、多重化部は、予め特定されたチャンネルの放送信号として自主デジタル放送のチャンネルの放送信号に検出部により検出された緊急警報放送情報を多重化してもよい。
【００１３】
一般に、放送局から送信された公共デジタル放送の放送信号を他局で変更することはあまり好ましくはない。そこで、ケーブルテレビ局の自主デジタル放送のチャンネルの放送信号に緊急警報放送情報を多重化することにより、公共デジタル放送の放送信号を変更することなく、ケーブルテレビ局の自主デジタル放送のチャンネルで緊急警報放送を再送出することが可能となる。
【００１４】
（３）複数のチャンネルの放送信号は、伝送制御のための制御情報および番組の構成を示す第１の番組構成情報を含み、緊急警報放送情報は、制御情報に含まれかつ緊急警報放送の存在を示す第１の情報と、第１の番組構成情報に含まれかつ緊急警報放送の内容を示す第２の情報とを含み、検出部は、受信部により受信された複数のチャンネルの放送信号中の制御情報および第１の番組構成情報から第１の情報および第２の情報をそれぞれ検出し、多重化部は、検出部により検出された第１の情報および第２の情報に基づいて予め特定されたチャンネルの放送信号の制御情報および第１の番組構成情報を変更することにより放送信号に第１の情報および第２の情報を多重化してもよい。
【００１５】
この場合、受信された複数のチャンネルの放送信号中の制御情報および第１の番組構成情報から第１の情報および第２の情報がそれぞれ検出され、検出された第１の情報および第２の情報に基づいて予め特定されたチャンネルの放送信号の制御情報および第１の番組構成情報が変更される。それにより、放送信号に第１の情報および第２の情報が多重化される。したがって、デジタル放送受信機では、第１の情報により緊急警報放送の存在を認識するとともに、第２の情報により緊急警報放送の内容を認識することができる。
【００１６】
（４）第２の情報は緊急警報の対象地域を示す地域情報を含み、デジタル放送再送信装置は、検出部により検出された第２の情報に含まれる地域情報が予め登録された地域を示す場合に検出部により検出された第１の情報および第２の情報を多重化部に与える情報付与部をさらに備え、多重化部は、情報付与部から与えられた第１の情報および第２の情報を予め特定されたチャンネルの放送信号に多重化してもよい。
【００１７】
通常、緊急警報が必要な事象は地域的に発生する。一方、公共デジタル放送では、緊急警報放送が全国的に送出される。そこで、第２の情報に含まれる地域情報が予め登録された地域を示す場合に第１の情報および第２の情報が多重化部に与えられる。それにより、デジタル放送再送信装置により放送信号が送信される地域において緊急警報が必要な事象が発生した場合に、デジタル放送再送信装置から予め特定されたチャンネルで緊急警報放送が再送出される。したがって、避難等の措置が不要な地域に緊急警報放送が再送出されることにより混乱が生じることが防止される。
【００１８】
（５）第２の情報は緊急警報の事象を示す事象情報をさらに含み、情報付与部は、検出部により検出された第２の情報に含まれる事象情報が予め登録された事象を示す場合に検出部により検出された第１の情報および第２の情報を多重化部に与えてもよい。
【００１９】
ある事象の発生地域および事象の種類により緊急警報が必要な場合と必要でない場合とがある。そこで、第２の情報に含まれる事象情報が予め登録された事象を示す場合に第１の情報および第２の情報が多重化部に与えられる。それにより、緊急警報が必要な事象が発生した場合に、デジタル放送再送信装置から予め特定されたチャンネルで緊急警報放送が再送出される。したがって、避難等の措置が不要な事象が発生した場合に緊急警報放送が再送出されることにより混乱が生じることが防止される。
【００２０】
（６）受信部は、複数のチャンネルの放送信号の選局および復調を行うチューナを含み、検出部は、チューナにおいて選局されたチャンネルの放送信号から制御信号を抽出し、抽出された制御信号から第１の情報を検出し、チューナにおいて復調された放送信号から第１の番組構成情報を抽出し、抽出された第１の番組構成情報から第２の情報を検出してもよい。
【００２１】
この場合、まず、選局されたチャンネルの放送信号から制御信号が抽出され、抽出された制御信号から第１の情報が検出される。それにより、緊急警報放送の存在が迅速に認識される。次に、復調された放送信号から第１の番組構成情報が抽出され、抽出された第１の番組構成情報から第２の情報が検出される。それにより、緊急警報放送の内容が認識される。したがって、デジタル放送受信機では、緊急警報放送の存在を迅速に認識した後に、緊急警報放送の内容を認識することができる。
【００２２】
（７）多重化部は、検出部により検出された第１の情報を緊急警報放送の開始および終了を示す情報として放送信号に多重化してもよい。
【００２３】
この場合、デジタル放送受信機に緊急警報放送の開始および終了が迅速に通知される。
【００２４】
（８）デジタル放送再送信装置は、受信部により受信された複数のチャンネルの放送信号に予め特定されたチャンネルに関するチャンネル情報を付加する情報付加部をさらに備えてもよい。
【００２５】
この場合、受信部により受信された複数のチャンネルの放送信号に予め特定されたチャンネルに関するチャンネル情報が付加され、チャンネル情報が付加された放送信号がデジタル放送受信機に送信される。それにより、緊急警報放送が送出されるチャンネルをデジタル放送受信機に任意のタイミングで通知することができる。
【００２６】
したがって、予め特定されたチャンネルに関する情報を別手段により予めデジタル放送受信機のユーザに通知しておく必要がなくなる。また、緊急警報放送が再送出されるチャンネルが変更される場合でも、変更後のチャンネルをデジタル放送受信機に迅速に通知することができる。
【００２７】
（９）複数のチャンネルの放送信号は、任意に定義可能な記述子を含む第２の番組構成情報を含み、情報付加部は、受信部により受信された複数のチャンネルの放送信号に含まれる第２の番組構成情報の記述子によりチャンネル情報を記述してもよい。
【００２８】
この場合、第２の番組構成情報中の任意に定義可能な記述子によりチャンネル情報が記述されるので、デジタル放送の内容に影響を与えることなく、緊急警報放送が再送出されるチャンネルをデジタル放送受信機に容易に通知することができる。
【００２９】
（１０）第２の発明に係るデジタル放送受信機は、デジタル放送再送信装置から再送信されるデジタル放送の複数のチャンネルの放送信号を受信するデジタル放送受信機であって、複数のチャンネルの選局を行う選局部と、複数のチャンネルのうち予め特定されたチャンネルに関するチャンネル情報を記憶する記憶部と、記憶部に記憶されたチャンネル情報に基づいて特定のチャンネルを選局するように選局部を制御する制御部と、選局部により選局されたチャンネルの放送信号から緊急警報放送に関する緊急警報放送情報を取得する取得部と、取得部により取得された緊急警報放送情報に応答して緊急警報放送を出力する出力部とを備えてもよい。
【００３０】
そのデジタル放送受信機においては、デジタル放送再送信装置から再送出されるデジタル放送の複数のチャンネルの選局が選局部により行われる。また、複数のチャンネルのうち予め特定されたチャンネルに関するチャンネル情報が記憶部により記憶され、記憶されたチャンネル情報に基づいて特定のチャンネルを選局するように選局部が制御部により制御される。そして、選局されたチャンネルの放送信号から緊急警報放送に関する緊急警報放送情報が取得部により取得され、取得された緊急警報放送情報に応答して緊急警報放送が出力部により出力される。
【００３１】
このように、予め特定されたチャンネルを自動的に選局することにより緊急警報放送を確実に受信することができる。
【００３２】
（１１）予め特定されたチャンネルの放送信号は、伝送制御のための制御情報および番組の構成を示す第１の番組構成情報を含み、緊急警報放送情報は、制御情報に含まれかつ緊急警報放送の存在を示す第１の情報と、第１の番組構成情報に含まれかつ緊急警報放送の内容を示す第２の情報とを含み、取得部は、選局部により選局されたチャンネルの放送信号に含まれる制御情報および第１の番組構成情報から第１の情報および第２の情報をそれぞれ取得し、出力部は、取得部により取得された第１の情報および第２の情報を出力してもよい。
【００３３】
この場合、予め特定されたチャンネルの放送信号中の制御情報および第１の番組構成情報から第１の情報および第２の情報がそれぞれ取得され、取得された第１の情報および第２の情報が出力される。それにより、デジタル放送受信機のユーザは、第１の情報により緊急警報放送の存在を認識するとともに、第２の情報により緊急警報放送の内容を認識することができる。
【００３４】
（１２）デジタル放送受信機は、選局部により選局されたチャンネルの放送信号から映像信号および音声信号を再生する再生部をさらに備え、制御部は、再生部が使用されていないときに記憶部に記憶されたチャンネル情報に基づいて特定のチャンネルを選局するように選局部を制御してもよい。
【００３５】
この場合、再生部が使用されていないときに、記憶部に記憶されたチャンネル情報に基づいて、緊急警報放送が再送出されるチャンネルが選局される。それにより、ユーザは、デジタル放送受信機を使用していないときでも、緊急警報放送を認識することができる。
【００３６】
（１３）デジタル放送受信機は、選局部により選局されたチャンネルの放送信号から映像信号および音声信号を再生する再生部をさらに備え、選局部は、複数のチャンネルの選局を行う第１および第２の選局器を含み、制御部は、記憶部に記憶されたチャンネル情報に基づいて特定のチャンネルを選局するように第２の選局器を制御し、取得部は、第２の選局器により選局されたチャンネルの放送信号から緊急警報放送に関する緊急警報放送情報を取得し、再生部は、第１の選局器により選局されたチャンネルの放送信号から映像信号および音声信号を再生してもよい。
【００３７】
この場合、第１の選局器により複数のチャンネルの選局が行われ、再生部により映像信号および音声信号が再生される。また、記憶部に記憶されたチャンネル情報に基づいて、第１の選局器により緊急警報放送が再送出されるチャンネルが選局される。それにより、ユーザは、任意のチャンネルのデジタル放送を再生しているときでも、緊急警報放送を認識することができる。
【００３８】
（１４）デジタル放送受信機は、選局部により選局された放送信号から映像信号および音声信号を再生する再生部をさらに備え、選局部は、複数のチャンネルの選局を行う複数の選局器を含み、再生部は、複数の選局器により選局されたチャンネルの放送信号から映像信号および音声信号を再生する複数の再生器を含み、制御部は、記憶部に記憶されたチャンネル情報に基づいて特定のチャンネルを選局するように複数の再生器のうち使用されていない再生器に対応する選局器を制御してもよい。
【００３９】
この場合、複数の選局器のいずれかにより複数のチャンネルの選局が行われ、対応する再生部により映像信号および音声信号が再生される。また、記憶部に記憶されたチャンネル情報に基づいて、使用されていない再生器に対応する選局器により緊急警報放送が再送出されるチャンネルが選局される。それにより、ユーザは、任意のチャンネルのデジタル放送を再生しているときでも、緊急警報放送を認識することができる。
【００４０】
（１５）第３の発明に係るデジタル放送再送信システムは、デジタル放送の複数のチャンネルの放送信号を再送信するデジタル放送再送信装置と、デジタル放送再送信装置から再送信されるデジタル放送の複数のチャンネルの放送信号を受信するデジタル放送受信機とを備え、デジタル放送再送信装置は、複数のチャンネルの放送信号を受信する受信部と、受信部により受信された複数のチャンネルの放送信号を送信する送信部と、受信部により受信された複数のチャンネルの放送信号から緊急警報放送に関する緊急警報放送情報を検出する検出部と、送信部により送信される複数のチャンネルの放送信号のうち予め特定されたチャンネルの放送信号に検出部により検出された緊急警報放送情報を多重化する多重化部とを含み、デジタル放送受信機は、複数のチャンネルの選局を行う選局部と、複数のチャンネルのうち予め特定されたチャンネルに関するチャンネル情報を記憶する記憶部と、記憶部に記憶されたチャンネル情報に基づいて特定のチャンネルを選局するように選局部を制御する制御部と、選局部により選局されたチャンネルの放送信号から緊急警報放送に関する緊急警報放送情報を取得する取得部と、取得部により取得された緊急警報放送情報に応答して緊急警報放送を出力する出力部とを含んでもよい。
【００４１】
デジタル放送再送信装置においては、受信部により複数のチャンネルの放送信号が受信され、受信された複数のチャンネルの放送信号が送信部により送信される。また、受信された複数のチャンネルの放送信号から検出部により緊急警報放送に関する緊急警報放送情報が検出され、送信される複数のチャンネルの放送信号のうち予め特定されたチャンネルの放送信号に緊急警報放送情報が多重化部により多重化される。それにより、緊急警報放送がいずれのチャンネルにより送出される場合でも、その緊急警報放送がデジタル放送再送信装置により予め特定されたチャンネルで再送出される。
【００４２】
一方、デジタル放送受信機においては、デジタル放送再送信装置から再送出されるデジタル放送の複数のチャンネルの選局が選局部により行われる。また、複数のチャンネルのうち予め特定されたチャンネルに関するチャンネル情報が記憶部により記憶され、記憶されたチャンネル情報に基づいて特定のチャンネルを選局するように選局部が制御部により制御される。そして、選局されたチャンネルの放送信号から緊急警報放送に関する緊急警報放送情報が取得部により取得され、取得された緊急警報放送情報に応答して緊急警報放送が出力部により出力される。
【００４３】
このように、デジタル放送受信機において、予め特定されたチャンネルを自動的に選局することにより緊急警報放送を確実に受信することができる。
【発明の効果】
【００４４】
本発明によれば、緊急警報放送がいずれのチャンネルにより送出される場合でも、その緊急警報放送がデジタル放送再送信装置により予め特定されたチャンネルで再送出される。したがって、デジタル放送受信機では、予め特定されたチャンネルを選局することにより緊急警報放送を確実に受信することができる。
【発明を実施するための最良の形態】
【００４５】
以下、本発明に係るデジタル放送再送信システムを一例としてデジタルＣＡＴＶ（ケーブルテレビ）放送再送信システムに適用した場合について説明する。
【００４６】
（１）第１の実施の形態
（１−１）デジタルＣＡＴＶ放送再送信システムの構成
図１は第１の本実施の形態に係るデジタルＣＡＴＶ放送再送信システムの構成を示すブロック図である。
【００４７】
図１のデジタルＣＡＴＶ放送再送信システム１は、デジタルＣＡＴＶ放送再送信装置２、デジタルＣＡＴＶ放送装置３およびデジタルＣＡＴＶ受信機４により構成される。
【００４８】
デジタルＣＡＴＶ放送再送信装置２およびデジタルＣＡＴＶ放送装置３はＣＡＴＶ局に設置され、デジタルＣＡＴＶ受信機４はデジタルＣＡＴＶ放送の契約者の自宅に設置される。
【００４９】
デジタルＣＡＴＶ放送再送信装置２は、地上波デジタル放送、ＢＳ（放送衛星）デジタル放送、ＣＳ（通信衛星）デジタル放送等の公共デジタル放送のデジタル放送波を受信し、それらのデジタル放送波をケーブルを通してデジタルＣＡＴＶ受信機４に再送信する。また、デジタルＣＡＴＶ放送再送信装置２は、後述する緊急警報放送を再送出する特定のチャンネルを示すチャンネル情報を予めデジタルＣＡＴＶ受信機４に通知し、公共デジタル放送の任意のチャンネルで送出される緊急警報放送を常時検出する。
【００５０】
デジタルＣＡＴＶ放送装置３は、ＣＡＴＶ局の自主デジタル放送のデジタル放送波をケーブルを通してデジタルＣＡＴＶ受信機４に送信する。また、デジタルＣＡＴＶ放送装置３は、デジタルＣＡＴＶ放送再送信装置２により緊急警報放送が検出された場合に、デジタルＣＡＴＶ受信機４に緊急警報放送を再送出する。
【００５１】
デジタルＣＡＴＶ放送再送信装置２およびデジタルＣＡＴＶ放送装置３は、ＣＡＴＶ局内に別々に設けられてもよく、あるいは一体的に設けられてもよい。
【００５２】
デジタルＣＡＴＶ放送再送信装置２は、デジタルＣＡＴＶ再送信ユニット２１、デジタルＣＡＴＶ放送再送信制御ユニット２２およびチャンネル情報記憶部２３により構成される。実際には、デジタルＣＡＴＶ放送再送信装置２に複数のチャンネルに対応して複数のデジタルＣＡＴＶ再送信ユニット２１が設けられるが、以下の説明では、１つのデジタルＣＡＴＶ再送信ユニット２１について説明する。
【００５３】
デジタルＣＡＴＶ再送信ユニット２１は、チューナ２１１、番組構成情報置換部２１２、ＱＡＭ（直交振幅変調；Quadrature Amplitude Modulation）方式の変調器（以下、ＱＡＭ変調器と呼ぶ）２１３および放送状態検出部２１４を含む。
【００５４】
デジタルＣＡＴＶ放送再送信制御ユニット２２は、番組構成情報設定部２２１および緊急放送検出部２２２を含む。チャンネル情報記憶部２３は、外部から提供されたチャンネル情報を記憶する。
【００５５】
チャンネル情報は、緊急警報放送を再送出するための特定のチャンネルの周波数、ＴＳＩＤ（トランスポートストリーム識別子）、伝送パラメータおよび地域情報を含む。本実施の形態では、特定のチャンネルは、ＣＡＴＶ局の自主デジタル放送のチャンネルである。
【００５６】
デジタルＣＡＴＶ放送装置３は、デジタルＣＡＴＶ放送制御装置３１、多重化装置３２、ＯＦＤＭ（直交周波数分割多重；Orthogonal Frequency Division Multiplexing）方式の変調器（以下、ＯＦＤＭ変調器と呼ぶ）３３およびＱＡＭ変調器３４を含む。
【００５７】
（１−２）デジタルＣＡＴＶ放送再送信システムの動作
次に、図１のデジタルＣＡＴＶ放送再送信システム１の動作を説明する。
【００５８】
（ａ）通常時のデジタル放送波の再送信動作
デジタルＣＡＴＶ放送再送信装置２のチューナ２１１は、アンテナより受信したデジタル放送波の周波数を選択することにより選局を行い、選局されたチャンネルの放送信号を番組ストリームを含むトランスポートストリーム（以下、ＴＳと呼ぶ）に復調する。番組構成情報置換部２１２は、ＴＳに含まれる番組構成情報をＣＡＴＶに適した番組構成情報で置換する。番組構成情報は、公共デジタル放送のデジタル放送波に多重化されている。
【００５９】
ＱＡＭ変調器２１３は、番組構成情報置換部２１２から出力されるＴＳをＱＡＭ方式で変調し、変調されたデジタル放送波をケーブルを通してデジタルＣＡＴＶ受信機４に再送信する。上記のように、デジタルＣＡＴＶ放送再送信装置２には複数のチャンネルに対応して複数のデジタルＣＡＴＶ再送信ユニット２１が設けられているので、デジタルＣＡＴＶ放送再送信装置２からは複数のチャンネルのデジタル放送波が再送信される。
【００６０】
それにより、デジタルＣＡＴＶ受信機４のユーザは、地上波デジタル放送、ＢＳデジタル放送、ＣＳデジタル放送等の公共デジタル放送の番組を視聴することができる。
【００６１】
（ｂ）チャンネル情報の通知動作
チャンネル情報の送信時には、番組構成情報設定部２２１がチャンネル情報記憶部２３に記憶されたチャンネル情報をＣＡＴＶ放送用の番組構成情報に設定する。具体的には、番組構成情報設定部２２１は、任意に定義可能な番組構成情報のリンク記述子中にチャンネル情報を記載する。ここで、番組構成情報としては、ＣＡＴＶ放送用のＮＩＴ（ネットワーク情報テーブル；Network Information Table）が用いられる。
【００６２】
番組構成情報置換部２１２は、チューナ２１１により復調されたＴＳに含まれる番組構成情報を番組構成情報設定部２２１により設定された番組構成情報で置換する。
【００６３】
ＱＡＭ変調器２１３は、番組構成情報置換部２１２から出力されるＴＳをＱＡＭ方式で変調し、変調されたデジタル放送波をケーブルを通してデジタルＣＡＴＶ受信機４に再送信する。この場合、デジタルＣＡＴＶ放送再送信装置２には複数のチャンネルに対応して複数のデジタルＣＡＴＶ再送信ユニット２１が設けられているので、複数のチャンネルのデジタル放送波にチャンネル情報を含む番組構成情報が多重化される。
【００６４】
それにより、デジタルＣＡＴＶ受信機４では、複数のチャンネルのうちいずれかのチャンネルが選局されることにより、緊急警報放送を受信するための特定のチャンネルを示すチャンネル情報を取得することができる。
【００６５】
上記のように、デジタルＣＡＴＶ放送再送信装置２で任意に定義可能な番組構成情報のリンク記述子中にチャンネル情報が記載される。それにより、既存のデジタルＣＡＴＶ受信機によるデジタル放送の受信に影響を与えることなく、デジタルＣＡＴＶ受信機４に緊急警報放送を送出するための特定のチャンネルを示すチャンネル情報を通知することが可能となる。
【００６６】
（ｃ）緊急警報放送の再送出動作
デジタルＣＡＴＶ放送再送信装置２の放送状態検出部２１４は、チューナ２１１において選局により得られた放送信号および復調されたＴＳから放送状態に関する情報（以下、放送状態情報と呼ぶ）を検出する。放送状態情報には、緊急警報放送の状態ならびに緊急警報の対象地域および事象（津波、洪水、地震等）を示す識別子が記述されている。
【００６７】
ここで、放送状態情報は、制御情報および番組構成情報を含む。本実施の形態では、制御情報は、ＴＭＣＣ（伝送多重制御；Transmission and Multiplexing Configuration Control）情報であり、番組構成情報はＰＭＴ（番組対応テーブル；Program Map Table）である。放送状態情報は、ＴＭＣＣ情報中の緊急警報放送用起動制御フラグおよびＰＭＴ中の緊急情報記述子である。
【００６８】
なお、デジタル放送波への放送状態情報の挿入方法については、ＡＲＩＢ規格ＴＲ−Ｂ１５  ２６「緊急警報放送」に規定されている。
【００６９】
放送状態検出部２１４は、チューナ２１１において選局により得られた放送信号からＴＭＣＣ情報を検出するとともに復調されたＴＳからＰＭＴを検出し、検出されたＴＭＣＣ情報およびＰＭＴを解析することにより緊急警報放送用起動制御フラグおよび緊急情報記述子を取得する。放送状態検出部２１４により取得された緊急警報放送用起動制御フラグおよび緊急情報記述子は、緊急放送検出部２２２に与えられる。
【００７０】
緊急放送検出部２２２は、放送状態検出部２１４から与えられる緊急警報放送用起動制御フラグに基づいて緊急警報放送の開始または終了を示すフラグ（以下、緊急警報放送開始／終了フラグと呼ぶ）をデジタルＣＡＴＶ放送装置３のデジタルＣＡＴＶ放送制御装置３１に与える。また、緊急放送検出部２２２は、放送状態検出部２１４から与えられる緊急情報記述子をデジタルＣＡＴＶ放送装置３のデジタルＣＡＴＶ放送制御装置３１に与える。
【００７１】
なお、デジタルＣＡＴＶ放送再送信装置２のユーザインタフェースを用いて緊急放送検出部２２２に緊急警報の対象地域および事象を予め登録することができる。この場合、緊急警報の対象地域および事象を示す識別子が緊急放送検出部２２２内の記憶部に記憶される。一方、放送状態検出部２１４から与えられる放送状態情報にも緊急警報の対象地域および事象を示す識別子が含まれる。緊急放送検出部２２２は、放送状態情報から取得した対象地域および事象を示す識別子を記憶部に記憶された識別子と比較し、両者が一致した場合にのみデジタルＣＡＴＶ放送装置３のデジタルＣＡＴＶ放送制御装置３１に緊急警報放送開始／終了フラグおよび緊急情報記述子を与えることができる。
【００７２】
デジタルＣＡＴＶ放送装置３の多重化装置３２には、自主デジタル放送の１または複数のデジタルＣＡＴＶチャンネルの番組ストリームが与えられる。通常、多重化装置３２は、自主デジタル放送の番組ストリーム、番組構成情報、制御情報等を多重化し、多重化されたＴＳをＯＦＤＭ変調器３３およびＱＡＭ変調器３４に与える。
【００７３】
ＯＦＤＭ変調器３３は、ＴＳをＯＦＤＭ方式で変調し、変調されたデジタル放送波をケーブルを通してデジタルＣＡＴＶ受信機４に送信する。ＱＡＭ変調器３４は、ＴＳをＱＡＭ方式で変調し、変調されたデジタル放送波をケーブルを通してデジタルＣＡＴＶ受信機４に送信する。
【００７４】
それにより、デジタルＣＡＴＶ受信機４のユーザは、ＣＡＴＶ局の自主デジタル放送の番組を視聴することができる。
【００７５】
デジタルＣＡＴＶ放送制御装置３１は、緊急放送検出部２２２から緊急警報放送開始／終了フラグおよび緊急情報記述子を受け取ると、それらの緊急警報放送開始／終了フラグおよび緊急情報記述子を多重化装置３２に与える。
【００７６】
多重化装置３２は、デジタルＣＡＴＶ放送制御装置３１から与えられる緊急警報放送開始／終了フラグおよび緊急情報記述子を特定のチャンネルのＴＳに多重化し、番組ストリームとともに緊急警報放送開始／終了フラグおよび緊急情報記述子を含むＴＳをＯＦＤＭ変調器３３およびＱＡＭ変調器３４に与える。上記のように、本実施の形態では、特定のチャンネルはＣＡＴＶ局の自主デジタル放送のチャンネルである。
【００７７】
緊急警報放送は、緊急警報放送開始／終了フラグおよび緊急情報記述子により構成される。この場合、特定のチャンネルのＴＳへの緊急警報放送開始／終了フラグおよび緊急情報記述子の多重化は、特定のチャンネルの制御情報中の緊急警報放送用起動制御フラグおよび番組構成情報中の緊急情報記述子を変更することにより行う。
【００７８】
本実施の形態では、制御情報は、ＯＦＤＭ方式で用いられるＴＭＣＣ情報およびＱＡＭ方式で用いられるＴＳＭＦ（複数ＴＳ伝送フレーム；Transport Stream Multiplex Frame）情報である。また、番組構成情報はＰＭＴである。
【００７９】
多重化装置３２は、変更されたＴＭＣＣ情報、ＰＭＴおよび番組ストリームを含むＴＳをＯＦＤＭ変調器３３に与え、変更されたＴＳＭＦ情報、ＰＭＴおよび番組ストリームを含むＴＳをＱＡＭ変調器３４に与える。
【００８０】
ＯＦＤＭ変調器３３は、ＴＳをＯＦＤＭ方式で変調し、変調されたデジタル放送波をケーブルを通してデジタルＣＡＴＶ受信機４に送信する。ＱＡＭ変調器３４は、ＴＳをＱＡＭ方式で変調し、変調されたデジタル放送波をケーブルを通してデジタルＣＡＴＶ受信機４に送信する。
【００８１】
このようにして、デジタルＣＡＴＶ放送装置３から特定のチャンネルで緊急警報放送が再送出される。それにより、デジタルＣＡＴＶ受信機４は、予め通知された特定のチャンネルを選局することにより緊急警報放送を受信することができる。この場合、デジタルＣＡＴＶ受信機４は、２種類の方式で変調されたデジタル放送波で緊急警報放送を受信することができる。
【００８２】
（１−３）デジタルＣＡＴＶ受信機４の第１の例
図２はデジタルＣＡＴＶ受信機４の構成の第１の例を示すブロック図である。
【００８３】
図２のデジタルＣＡＴＶ受信機４は、選局器４１、復調器４２、復号器４３、映像音声出力部４４、警報フラグ検出部４５、警報動作制御部４６、番組構成情報抽出部４７、警報チャンネル検出部４８および選局制御部４９を含む。このデジタルＣＡＴＶ受信機４には映像処理装置６０が接続される。映像処理装置６０は、例えばデジタルテレビ受像機である。
【００８４】
選局器４１は、デジタルＣＡＴＶ放送再送信装置２およびデジタルＣＡＴＶ放送装置３から送信されるデジタル放送波の周波数を選択することにより選局を行い、選局されたチャンネルの放送信号を出力する。
【００８５】
復調器４２は、選局器４１から出力される放送信号を復調し、ＴＳを出力する。復号器４３は、復調器４２から出力されるＴＳから映像データおよび音声データを復号する。映像音声出力部４４は、復号器４３から出力される映像データおよび音声データに基づいて映像信号および音声信号を映像処理装置６０に出力する。それにより、映像処理装置６０のディスプレイに映像が表示され、スピーカから音声が出力される。
【００８６】
チャンネル情報の取得時には、番組構成情報抽出部４７は、復調器４２により復調されたＴＳから番組構成情報を抽出する。本実施の形態では、番組構成情報は、チャンネル情報を記述するリンク記述子を含むＮＩＴである。警報チャンネル検出部４８は、ＮＩＴ中のチャンネル情報を抽出し、そのチャンネル情報を記憶する。
【００８７】
選局制御部４９は、選局器４１および復調器４２が番組の再生または録画に使用されていないときに、警報チャンネル検出部４８に記憶されたチャンネル情報に基づいて緊急警報放送の受信のための特定のチャンネルが選局されるように選局器４１を制御する。
【００８８】
警報フラグ検出部４５は、選局器４１により選局されたチャンネルの放送信号から制御情報中の緊急警報放送開始／終了フラグを検出する。本実施の形態では、制御情報はＴＭＣＣ情報またはＴＳＭＦ情報である。この警報フラグ検出部４５は、緊急警報放送開始／終了フラグを警報動作制御部４６に与える。
【００８９】
警報動作制御部４６は、警報動作のための警報ランプおよび警報ブザーを含むとともに記憶部を含む。記憶部は、緊急事態の発生、緊急事態の発生地域、緊急事態の事象（地震、津波等）および緊急事態の終了を告知するための文字情報および音声情報を予め記憶している。
【００９０】
まず、警報動作制御部４６は、緊急警報放送開始／終了フラグが開始を示していると、警報ランプを点灯させかつ警報ブザーを作動させるとともに、予め記憶された緊急事態の発生を告知するための文字情報および音声情報を映像音声出力部４４に与える。映像音声出力部４４は、警報動作制御部４６から与えられた文字情報および音声情報に基づいて緊急事態の発生を告知するための映像信号および音声信号を映像処理装置６０に出力する。それにより、映像処理装置６０のディスプレイに緊急事態の発生を告知する映像が表示され、スピーカから緊急事態の発生を告知する音声が出力される。
【００９１】
また、警報動作制御部４６は、復調器４２により復調されたＴＳから番組構成情報中の緊急情報記述子を検出する。この場合、番組構成情報は、緊急情報記述子を含むＰＭＴである。そして、警報動作制御部４６は、ＰＭＴ中の緊急情報記述子に基づいて緊急警報放送の内容（緊急事態の発生地域、緊急事態の事象）を告知するための文字情報および音声情報を映像音声出力部４４に与える。映像音声出力部４４は、警報動作制御部４６から与えられた文字情報および音声情報に基づいて緊急警報放送の内容を告知するための映像信号および音声信号を映像処理装置６０に出力する。それにより、映像処理装置６０のディスプレイに緊急警報放送の内容を告知する映像が表示され、スピーカから緊急警報放送の内容を告知する音声が出力される。
【００９２】
さらに、警報動作制御部４６は、緊急警報放送開始／終了フラグが終了を示していると、警報ランプを消灯させかつ警報ブザーを停止させるとともに、予め記憶された緊急事態の終了を告知するための文字情報および音声情報を映像音声出力部４４に与える。映像音声出力部４４は、警報動作制御部４６から与えられた文字情報および音声情報に基づいて緊急事態の終了を告知するための映像信号および音声信号を映像処理装置６０に出力する。それにより、映像処理装置６０のディスプレイに緊急事態の終了を告知する映像が表示され、スピーカから緊急事態の終了を告知する音声が出力される。
【００９３】
本例のデジタルＣＡＴＶ受信機４では、デジタル放送の再生および録画が行われていないときに、警報チャンネル検出部４８に記憶されたチャンネル情報に基づいて緊急警報放送を受信するための特定のチャンネルが選局器４１により選局される。それにより、緊急警報放送を受信することができる。
【００９４】
（１−４）デジタルＣＡＴＶ受信機４の第２の例
図３はデジタルＣＡＴＶ受信機４の構成の第２の例を示すブロック図である。
【００９５】
図３のデジタルＣＡＴＶ受信機４が図２のデジタルＣＡＴＶ受信機４と異なるのは次の点である。
【００９６】
図３のデジタルＣＡＴＶ受信機４は、図２の選局器４１および復調器４２の代わりに２つの選局器４１Ａ，４１Ｂおよび２つの復調器４２Ａ，４２Ｂを備える。
【００９７】
選局器４１Ａおよび復調器４２Ａの動作は図２の選局器４１および復調器４２の動作と同様である。
【００９８】
チャンネル情報の取得時には、番組構成情報抽出部４７は、復調器４２Ａにより復調されたＴＳからＮＩＴを抽出する。警報チャンネル検出部４８は、ＮＩＴ中のチャンネル情報を抽出し、そのチャンネル情報を記憶する。
【００９９】
選局制御部４９は、警報チャンネル検出部４８に記憶されたチャンネル情報に基づいて緊急警報放送の受信のための特定のチャンネルが選局されるように選局器４１Ｂを制御する。それにより、選局器４１Ｂは、常時緊急警報放送の受信のための特定のチャンネルを選局する。
【０１００】
警報フラグ検出部４５は、選局器４１Ｂにより選局されたチャンネルの放送信号から制御情報中の緊急警報放送開始／終了フラグを検出する。本実施の形態では、制御情報はＴＭＣＣ情報またはＴＳＭＦ情報である。この警報フラグ検出部４５は、緊急警報放送開始／終了フラグを警報動作制御部４６に与える。
【０１０１】
警報動作制御部４６は、復調器４２Ｂにより復調されたＴＳから番組構成情報中の緊急情報記述子を検出する。警報動作制御部４６の動作は、図２の警報動作制御部４６の動作と同様である。
【０１０２】
本例のデジタルＣＡＴＶ受信機４では、警報チャンネル検出部４８に記憶されたチャンネル情報に基づいて緊急警報放送を受信するための特定のチャンネルが選局器４１Ｂにより常時選局される。それにより、緊急警報放送を常時受信することができる。
【０１０３】
（１−５）デジタルＣＡＴＶ受信機４の第３の例
図４はデジタルＣＡＴＶ受信機４の構成の第３の例を示すブロック図である。
【０１０４】
図４のデジタルＣＡＴＶ受信機４が図２のデジタルＣＡＴＶ受信機４と異なるのは次の点である。
【０１０５】
図４のデジタルＣＡＴＶ受信機４は、図２の選局器４１、復調器４２、復号器４３および映像音声出力部４４の代わりに２つの選局器４１ａ，４１ｂ、２つの復調器４２ａ，４２ｂ、２つの復号器４３ａ，４３ｂおよび２つの映像音声出力部４４ａ，４４ｂを備える。
【０１０６】
選局器４１ａ，４１ｂの動作は図２の選局器４１の動作と同様である。また、復調器４２ａは、選局器４１ａから出力されるＯＦＤＭ方式の放送信号を復調し、ＴＳを出力する。復調器４２ａは、選局器４１ｂから出力されるＱＡＭ方式の放送信号を復調し、ＴＳを出力する。
【０１０７】
復号器４３ａ，４３ｂの動作は図２の復号器４３の動作と同様である。また、映像音声出力部４４ａ，４４ｂの動作は図２の映像音声出力部４４の動作と同様である。
【０１０８】
ユーザは、操作部７０を用いて選局制御部４９を操作することにより、選局器４１ａの選局動作および選局器４１ｂの選局動作を制御することができる。
【０１０９】
図４の例では、映像音声出力部４４ａに映像処理装置６０ａが接続され、映像音声出力部４４ｂに映像処理装置６０ｂが接続されている。映像処理装置６０ａ，６０ｂは、デジタルテレビ受像機、ＤＶＤ（デジタルバーサタイルディスク）レコーダまたはハードディスクレコーダ等である。
【０１１０】
ユーザは、映像処理装置６０ａを用いて再生または録画を行う場合には、操作部７０により選局制御部４９を操作することにより選局器４１ａから映像音声出力部４４ａの系統を使用することができる。また、ユーザは、映像処理装置６０ｂを用いて再生または録画を行う場合には、操作部７０により選局制御部４９を操作することにより選局器４１ｂから映像音声出力部４４ｂの系統を使用することができる。
【０１１１】
チャンネル情報の取得時には、番組構成情報抽出部４７は、復調器４２ａ，４２ｂにより復調されたＴＳからＮＩＴを抽出する。警報チャンネル検出部４８は、ＮＩＴ中のチャンネル情報を抽出し、そのチャンネル情報を記憶する。
【０１１２】
選局制御部４９は、操作部７０の出力信号に基づいて選局器４１ａ，４１ｂが番組の再生または録画に使用されているか否かを判別する。ここでは、選局器４１ａが番組の再生または録画に使用されかつ選局器４１ｂが番組の再生または録画に使用されていないものとする。そして、選局制御部４９は、警報チャンネル検出部４８に記憶されたチャンネル情報に基づいて緊急警報放送の受信のための特定のチャンネルが選局されるように使用されていない選局器４１ｂを制御する。
【０１１３】
警報フラグ検出部４５は、選局器４１ｂにより選局されたチャンネルの放送信号から制御情報中の緊急警報放送開始／終了フラグを検出する。本実施の形態では、制御情報はＴＭＣＣ情報またはＴＳＭＦ情報である。この警報フラグ検出部４５は、緊急警報放送開始／終了フラグを警報動作制御部４６に与える。
【０１１４】
警報動作制御部４６は、復調器４２ｂにより復調されたＴＳから番組構成情報中の緊急情報記述子を検出する。警報動作制御部４６の動作は、図２の警報動作制御部４６の動作と同様である。
【０１１５】
それにより、警報動作制御部４６および映像処理装置６０ｂにより緊急警報放送がユーザに提示される。
【０１１６】
なお、選局器４１ｂが番組の再生または録画に使用されかつ選局器４１ａが番組の再生または録画に使用されていない場合には、選局制御部４９は特定のチャンネルが選局されるように使用されていない選局器４１ａを制御する。この場合、警報フラグ検出部４５は、選局器４１ａにより選局されたチャンネルの放送信号から制御情報中の緊急警報放送開始／終了フラグを検出する。また、警報動作制御部４６は、復調器４２ａにより復調されたＴＳから番組構成情報中の緊急情報記述子を検出する。
【０１１７】
それより、警報動作制御部４６および映像処理装置６０ａにより緊急警報放送がユーザに提示される。
【０１１８】
本例のデジタルＣＡＴＶ受信機４では、警報チャンネル検出部４８に記憶されたチャンネル情報に基づいて緊急警報放送を受信するための特定のチャンネルが複数の選局器４１ａ，４１ｂのうち使用されていない選局器により選局される。それにより、緊急警報放送を受信することができる。
【０１１９】
（１−６）実施の形態の効果
本実施の形態に係るデジタルＣＡＴＶ放送再送信システム１においては、緊急警報放送がいずれのチャンネルにより送出される場合でも、その緊急警報放送がデジタルＣＡＴＶ放送装置３により特定のチャンネルで再送出される。したがって、デジタルＣＡＴＶ受信機４では、予め通知された特定のチャンネルを選局することにより緊急警報放送を確実に受信することができる。
【０１２０】
また、デジタルＣＡＴＶ放送装置３の多重化装置３２により自主デジタル放送のチャンネルのＴＳに緊急警報放送開始／終了フラグおよび緊急情報記述子を多重化することにより、公共デジタル放送の放送信号を変更することなく、ＣＡＴＶ局の自主デジタル放送のチャンネルにより緊急警報放送を再送出することが可能となる。
【０１２１】
この場合、デジタルＣＡＴＶ受信機４では、緊急警報放送開始／終了フラグにより緊急警報放送の存在を迅速に認識するとともに、緊急情報記述子により緊急警報放送の内容を認識することができる。
【０１２２】
また、緊急放送検出部２２２に緊急警報の対象地域および事象を予め登録することができる。この場合、放送状態検出部２１４から与えられる放送状態情報に含まれる緊急警報の対象地域および事象が予め登録された緊急警報の対象地域および事象と一致した場合に緊急警報放送開始／終了フラグおよび緊急情報記述子がデジタルＣＡＴＶ放送装置３の多重化装置３２に与えられる。それにより、デジタルＣＡＴＶ放送再送信装置２およびデジタルＣＡＴＶ放送装置３によりデジタル放送が再送出される地域において緊急警報が必要な事象が発生した場合に、デジタルＣＡＴＶ放送装置３から特定のチャンネルで緊急警報放送がデジタルＣＡＴＶ受信機４に再送出される。したがって、避難等の措置が不要な地域に緊急警報放送が送出されることにより混乱が生じることが防止される。
【０１２３】
また、デジタルＣＡＴＶ放送再送信装置２において複数のチャンネルのＴＳに含まれる番組構成情報がチャンネル情報を含む番組構成情報で置換される。それにより、緊急警報放送が再送出される特定のチャンネルをデジタルＣＡＴＶ受信機４に任意のタイミングで通知することができる。したがって、チャンネル情報を別手段により予めデジタルＣＡＴＶ受信機４のユーザに通知しておく必要がなくなる。また、緊急警報放送が再送出される特定のチャンネルが変更される場合でも、変更後の特定のチャンネルをデジタルＣＡＴＶ受信機４に迅速に通知することができる。
【０１２４】
さらに、番組構成情報中の任意に定義可能なリンク記述子によりチャンネル情報が記述されるので、デジタル放送の内容に影響を与えることなく、緊急警報放送が再送出される特定のチャンネルをデジタルＣＡＴＶ受信機４に容易に通知することができる。
【０１２５】
また、デジタルＣＡＴＶ受信機４においては、デジタルＣＡＴＶ放送再送信装置２から送信されたチャンネル情報が警報チャンネル検出部４８に記憶され、記憶されたチャンネル情報に基づいて特定のチャンネルを選局するように選局制御部４９により選局器４１，４１Ｂ，４１ａ，４１ｂが制御される。このように、特定のチャンネルを自動的に選局することにより緊急警報放送を確実に受信することができる。
【０１２６】
第１の例のデジタルＣＡＴＶ受信機４では、デジタル放送の再生および録画が行われていないときに、警報チャンネル検出部４８に記憶されたチャンネル情報に基づいて緊急警報放送を受信するための特定のチャンネルが選局器４１により選局される。それにより、ユーザは、デジタルＣＡＴＶ受信機４を使用していないときでも、緊急警報放送を認識することができる。
【０１２７】
第２の例のデジタルＣＡＴＶ受信機４では、警報チャンネル検出部４８に記憶されたチャンネル情報に基づいて緊急警報放送を受信するための特定のチャンネルが選局器４１Ｂにより常時選局される。それにより、ユーザは、任意のチャンネルのデジタル放送を再生または録画しているときでも、緊急警報放送を認識することができる。
【０１２８】
第３の例のデジタルＣＡＴＶ受信機４では、警報チャンネル検出部４８に記憶されたチャンネル情報に基づいて緊急警報放送を受信するための特定のチャンネルが複数の選局器４１ａ，４１ｂのうち使用されていない選局器により選局される。それにより、ユーザは、任意のチャンネルのデジタル放送を再生または録画しているときでも、緊急警報放送を認識することができる。
【０１２９】
（２）第２の実施の形態
図５は第２の本実施の形態に係るデジタルＣＡＴＶ放送再送信システムの構成を示すブロック図である。
【０１３０】
図５のデジタルＣＡＴＶ放送再送信システムが図１のデジタルＣＡＴＶ放送再送信システムと異なるのは次の点である。
【０１３１】
図５のデジタルＣＡＴＶ放送再送信システム１は、デジタル放送受信機５０をさらに備え、デジタルＣＡＴＶ放送再送信装置２のデジタルＣＡＴＶ再送信ユニット２１が図１の放送状態検出部２１４を含まない。デジタル放送受信機５０は、チューナ５１および放送状態検出部５２を含む。
【０１３２】
デジタルＣＡＴＶ放送再送信装置２、デジタルＣＡＴＶ放送装置３およびデジタル放送受信機５０はＣＡＴＶ局に設置され、デジタルＣＡＴＶ受信機４はデジタルＣＡＴＶ放送の契約者の自宅に設置される。
【０１３３】
デジタル放送受信機５０のチューナ５１は、アンテナより受信したデジタル放送波の周波数を選択することにより選局を行い、選局されたチャンネルの放送信号をＴＳに復調する。
【０１３４】
放送状態検出部５２は、チューナ５１において選局により得られた放送信号および復調されたＴＳから放送状態情報を検出する。この場合、放送状態検出部５２は、チューナ５１において選局により得られた放送信号からＴＭＣＣ情報を検出するとともに復調されたＴＳからＰＭＴを検出し、検出されたＴＭＣＣ情報およびＰＭＴを解析することにより緊急警報放送用起動制御フラグおよび緊急情報記述子を取得する。放送状態検出部５２により取得された緊急警報放送用起動制御フラグおよび緊急情報記述子は、デジタルＣＡＴＶ放送再送信装置２の緊急放送検出部２２２に与えられる。
【０１３５】
本実施の形態では、デジタル放送受信機５０のチューナ５１が公共デジタル放送の複数のチャンネルを順次自動的に選局する。したがって、１つの放送状態検出部５２により複数のチャンネルの緊急警報放送を常時監視することができる。
【０１３６】
なお、公共デジタル放送の複数のチャンネルに対応して複数のデジタル放送受信機５０を設けてもよい。
【０１３７】
（３）他の実施の形態
以上、本発明の実施の形態について説明したが、本発明は上記実施の形態に限定されるものではなく、本発明の趣旨を逸脱しない範囲で他の態様に変更することも可能である。
【０１３８】
上記実施の形態では、緊急放送検出部２２２がデジタルＣＡＴＶ放送再送信制御ユニット２２内に設けられているが、緊急放送検出部２２２がデジタルＣＡＴＶ放送再送信装置２内でデジタルＣＡＴＶ放送再送信制御ユニット２２とは別個に設けられてもよい。また、緊急放送検出部２２２がデジタルＣＡＴＶ放送再送信装置２の外部に設けられてもよい。あるいは、緊急放送検出部２２２がデジタルＣＡＴＶ放送装置３内に設けられてもよい。
【０１３９】
上記実施の形態のデジタルＣＡＴＶ放送再送信装置２、デジタルＣＡＴＶ放送装置３、デジタル放送受信機５０およびデジタルＣＡＴＶ受信機４の全ての構成要素を電子回路等のハードウエアにより実現してもよく、あるいは一部の構成要素をＣＰＵ（中央演算処理装置）等のハードウエアとプログラム等のソフトウエアとにより実現してもよい。
【０１４０】
上記実施の形態では、チャンネル情報がデジタルＣＡＴＶ放送再送信装置２からデジタルＣＡＴＶ受信機４に予め通知されるが、これに限定されず、チャンネル情報が専用のネットワーク等の通信媒体を通してデジタルＣＡＴＶ受信機４に通知されてもよい。
【０１４１】
上記実施の形態では、チャンネル情報をデジタルＣＡＴＶ受信機４に通知するための番組構成情報としてＮＩＴが用いられているが、これに限定されない。チャンネル情報をデジタルＣＡＴＶ受信機４に通知するためにＮＩＴと同様に任意に定義可能な記述子を含む他の番組構成情報を用いてもよい。
【０１４２】
上記実施の形態では、放送状態情報としてＴＭＣＣ情報中の緊急警報放送用起動制御フラグおよびＰＭＴ中の緊急情報記述子が用いられているが、これに限定されない。緊急警報放送の存在を示す制御情報および緊急警報放送の内容を示す番組構成情報がデジタル放送波に多重化されている場合には、放送状態情報としてそれらの制御情報および番組構成情報を用いてもよい。
【０１４３】
上記実施の形態では、緊急警報放送を送出する特定のチャンネルとしてＣＡＴＶ局の自主デジタル放送のチャンネルが用いられているが、これに限定されず、公共デジタル放送のチャンネルを用いてもよい。
【０１４４】
上記実施の形態では、複数のチャンネルのデジタル放送をケーブルを通して再送出するデジタルＣＡＴＶ放送再送信システム１に本発明に係るデジタル放送再送信システムを適用した場合について説明したが、本発明に係るデジタル放送再送信システムは、電波により複数のデジタル放送を再送出するシステムにも適用することができる。
【０１４５】
（４）請求項の各構成要素と実施の形態の各部との対応
以下、請求項の各構成要素と実施の形態の各部との対応の例について説明するが、本発明は下記の例に限定されない。
【０１４６】
上記実施の形態では、デジタルＣＡＴＶ放送再送信システム１がデジタル放送再送信システムに相当し、ＣＡＴＶ放送再送信装置２およびデジタルＣＡＴＶ放送装置３がデジタル放送再送信装置に相当し、デジタルＣＡＴＶ受信機４がデジタル放送受信機に相当する。
【０１４７】
チューナ２１１が受信部に相当し、ＱＡＭ変調器２１３、ＯＦＤＭ変調器３３およびＱＡＭ変調器３４が送信部に相当し、放送状態検出部２１４，５２が検出部に相当し、多重化装置３２が多重化部に相当し、緊急放送検出部２２２が情報付与部に相当し、番組構成情報置換部２１２および番組構成情報設定部２２１が情報付加部に相当する。
【０１４８】
選局器４１，４１Ａ，４１Ｂ，４１ａ，４１ｂが選局部に相当し、警報チャンネル検出部４８が記憶部に相当し、選局制御部４９が制御部に相当する。警報フラグ検出部４５または警報動作制御部４６が取得部に相当し、警報動作制御部４６または映像音声出力部４４が出力部に相当する。復調器４２，４２Ａ，４２ａ，４２ｂ、復号器４３，４３ａ，４３ｂおよび映像音声出力部４４，４４ａ，４４ｂが再生部に相当し、選局器４１Ａ，４１Ｂが第１および第２の選局器に相当し、選局器４１ａ，４１ｂが複数の選局器に相当し、復調器４２ａ，４２ｂ、復号器４３ａ，４３ｂおよび映像音声出力部４４ａ，４４ｂが複数の再生器に相当する。
【０１４９】
ＴＭＣＣ情報中の緊急警報放送用起動制御フラグおよびＰＭＴ中の緊急情報記述子が緊急警報放送情報に相当し、ＴＭＣＣ情報またはＴＳＭＦ情報が制御情報に相当し、ＰＭＴが第１の番組構成情報に相当し、ＮＩＴが第２の番組構成情報に相当し、緊急警報放送用起動制御フラグが第１の情報に相当し、緊急情報記述子が第２の情報に相当する。
【産業上の利用可能性】
【０１５０】
本発明のデジタル放送再送信装置、デジタル放送受信機およびデジタル放送再送信システムは、デジタル放送を利用した緊急警報放送システムの構築に有用である。
【図面の簡単な説明】
【０１５１】
【図１】第１の本実施の形態におけるデジタルＣＡＴＶ放送再送信システムの構成を示すブロック図
【図２】デジタルＣＡＴＶ受信機の構成の第１の例を示すブロック図
【図３】デジタルＣＡＴＶ受信機の構成の第２の例を示すブロック図
【図４】デジタルＣＡＴＶ受信機の構成の第３の例を示すブロック図
【図５】第２の本実施の形態におけるデジタルＣＡＴＶ放送再送信システムの構成を示すブロック図
【符号の説明】
【０１５２】
１  デジタルＣＡＴＶ放送再送信システム
２  デジタルＣＡＴＶ放送再送信装置
３  デジタルＣＡＴＶ放送装置
４  デジタルＣＡＴＶ受信機
２１  デジタルＣＡＴＶ再送信機
２２  デジタルＣＡＴＶ放送再送信制御装置
２３  チャンネル情報記憶部
３１  デジタルＣＡＴＶ放送制御装置
３２  多重化装置
３３  ＯＦＤＭ変調器
３４，２１３  ＱＡＭ変調器
４１，４１Ａ，４１Ｂ，４１ａ，４１ｂ  選局器
４２，４２Ａ，４２Ｂ，４２ａ，４２ｂ  復調器
４３，４３ａ，４３ｂ  復号器
４４，４４ａ，４４ｂ  映像音声出力部
４５  警報フラグ検出部
４６  警報動作制御部
４７  番組構成情報抽出部
４８  警報チャンネル検出部
４９  選局制御部
５０  デジタル放送受信機
５１，２１１  チューナ
５２，２１４  放送状態検出部
６０，６０ａ，６０ｂ  映像処理装置
７０  操作部
２１２  番組構成情報置換部
２２１  番組構成情報設定部
２２２  緊急放送検出部
【図１】
2007251298.tif 000003
【図２】
2007251298.tif 000004
【図３】
2007251298.tif 000005
【図４】
2007251298.tif 000006
【図５】
2007251298.tif 000007